(57)【特許請求の範囲】
【請求項１】
レセプタクル内のアダプタに挿入接続されるコネクタを内蔵し、前記レセプタクルと接続されるコネクタ内蔵プラグであって、
前記コネクタの挿入方向後端側に位置して前記コネクタを保持するハウジングと、
前記ハウジングを前記挿入方向に押すバネと、
前記ハウジングに形成された鍔部の前に位置して前記ハウジングに取り付けられたホルダと、
外殻部材とを備え、
前記ホルダは前記鍔部を介して前記バネにより押されて前記外殻部材の内面に形成された突起に突き当てられて抜け止めされ、
前記ハウジングは前記ホルダに対し、回転が規制され、かつ前記挿入方向と直交する一方向のみに移動可能とされ、
前記ホルダは前記外殻部材に対し、回転が規制され、かつ前記挿入方向と直交し、かつ前記一方向と交差する一交差方向のみに移動可能とされていることを特徴とするコネクタ内蔵プラグ。
【請求項２】
請求項１記載のコネクタ内蔵プラグにおいて、
前記ホルダは方形枠の一箇所に切り欠きが形成された形状とされ、
前記ハウジングは前記鍔部の前の角柱部が前記切り欠きから前記ホルダの枠内に嵌め込まれて取り付けられ、
前記枠内の大きさは前記ホルダに対する前記ハウジングの前記一方向のみの移動を許容する大きさとされていることを特徴とするコネクタ内蔵プラグ。
【請求項３】
請求項２記載のコネクタ内蔵プラグにおいて、
前記ホルダが位置する部分の前記外殻部材の内周は方形形状をなし、
前記方形形状の大きさは前記外殻部材に対する前記ホルダの前記一交差方向のみの移動を許容する大きさとされていることを特徴とするコネクタ内蔵プラグ。
【請求項４】
請求項１乃至３記載のいずれかのコネクタ内蔵プラグにおいて、
前記バネはコイルバネとされ、
前記ハウジングは前記鍔部の後方に突出部を備え、
前記突出部は前記コイルバネの一端に嵌め込まれていることを特徴とするコネクタ内蔵プラグ。
【請求項５】
請求項１乃至４記載のいずれかのコネクタ内蔵プラグにおいて、
前記コネクタは前記挿入方向と直交する外形形状が多角形であることを特徴とするコネクタ内蔵プラグ。
【請求項６】
請求項１乃至５記載のいずれかのコネクタ内蔵プラグにおいて、
複数の前記コネクタが前記ハウジングに保持されていることを特徴とするコネクタ内蔵プラグ。
【請求項７】
請求項１乃至６記載のいずれかのコネクタ内蔵プラグにおいて、
前記コネクタが光コネクタであることを特徴とするコネクタ内蔵プラグ。
【請求項８】
請求項１乃至７記載のいずれかのコネクタ内蔵プラグにおいて、
前記外殻部材の後端に第１の防水部材が配され、
前記レセプタクルのシェルに嵌め込まれる前記外殻部材の前端側に、前記シェルの内周面と前記外殻部材とによって挟み込まれる第２の防水部材が配されていることを特徴とするコネクタ内蔵プラグ。
【発明の詳細な説明】
【技術分野】
【０００１】
この発明はコネクタを内蔵したコネクタ内蔵プラグに関する。
【背景技術】
【０００２】
図１１はこの種のコネクタ内蔵プラグの従来例として特許文献１に記載されている構成を示したものであり、図１１中、１１は本体部を示し、１２は本体部１１に内蔵されている光コネクタを示す。光コネクタ１２は自身と接続される相手方の光モジュールに係止されるためのラッチ部１２ａを有している。また、１３は光モジュールを収容した相手方のアダプタと結合される結合部材を示す。
【先行技術文献】
【特許文献】
【０００３】
【特許文献１】特開２０１３−４４９５２号公報
【発明の概要】
【発明が解決しようとする課題】
【０００４】
図１１に示したような構成を有する従来のコネクタ内蔵プラグでは、光コネクタ１２は本体部１１内に固定されて配置されている。従って、このコネクタ内蔵プラグの光コネクタ１２が接続される相手方の光モジュールと、結合部材１３が結合され、本体部１１が嵌め込まれる相手方のシェル（特許文献１ではアダプタと称している）との位置精度が悪いと、コネクタ内蔵プラグの接続ができないといった問題が発生する。
【０００５】
このような問題を回避するためには、フローティング構造を採用し、内蔵されているコネクタ（光コネクタ１２）が外殻部材（本体部１１）に対して動きうるようにすればよいが、特許文献１に記載されている光コネクタ１２のように、例えばコネクタの挿入部の外形が角型の場合、フローティング構造を採用したとしてもコネクタが回転してしまうと、やはり接続することができないといった状況が生じうる。
【０００６】
この発明の目的はこのような問題に鑑み、内蔵されているコネクタのフローティング構造を採用しつつ、コネクタの回転を規制できるようにしたコネクタ内蔵プラグを提供することにある。
【課題を解決するための手段】
【０００７】
請求項１の発明によれば、レセプタクル内のアダプタに挿入接続されるコネクタを内蔵し、レセプタクルと接続されるコネクタ内蔵プラグは、コネクタの挿入方向後端側に位置してコネクタを保持するハウジングと、ハウジングを前記挿入方向に押すバネと、ハウジングに形成された鍔部の前に位置してハウジングに取り付けられたホルダと、外殻部材とを備え、ホルダは前記鍔部を介してバネにより押されて外殻部材の内面に形成された突起に突き当てられて抜け止めされ、ハウジングはホルダに対し、回転が規制され、かつ前記挿入方向と直交する一方向のみに移動可能とされ、ホルダは外殻部材に対し、回転が規制され、かつ前記挿入方向と直交し、かつ前記一方向と交差する一交差方向のみに移動可能とされているものとされる。
【０００８】
請求項２の発明では請求項１の発明において、ホルダは方形枠の一箇所に切り欠きが形成された形状とされ、ハウジングは前記鍔部の前の角柱部が前記切り欠きからホルダの枠内に嵌め込まれて取り付けられ、前記枠内の大きさはホルダに対するハウジングの前記一方向のみの移動を許容する大きさとされる。
【０００９】
請求項３の発明では請求項２の発明において、ホルダが位置する部分の外殻部材の内周は方形形状をなし、前記方形形状の大きさは外殻部材に対するホルダの前記一交差方向のみの移動を許容する大きさとされる。
【００１０】
請求項４の発明では請求項１乃至３のいずれかの発明において、バネはコイルバネとされ、ハウジングは前記鍔部の後方に突出部を備え、前記突出部はコイルバネの一端に嵌め込まれているものとされる。
【００１１】
請求項５の発明では請求項１乃至４のいずれかの発明において、コネクタは前記挿入方向と直交する外形形状が多角形とされる。
【００１２】
請求項６の発明では請求項１乃至５のいずれかの発明において、複数のコネクタがハウジングに保持されているものとされる。
【００１３】
請求項７の発明では請求項１乃至６のいずれかの発明において、コネクタが光コネクタとされる。
【００１４】
請求項８の発明では請求項１乃至７のいずれかの発明において、外殻部材の後端に第１の防水部材が配され、レセプタクルのシェルに嵌め込まれる外殻部材の前端側に、シェルの内周面と外殻部材とによって挟み込まれる第２の防水部材が配されているものとされる。
【発明の効果】
【００１５】
この発明によれば、内蔵されているコネクタのフローティング構造を採用しつつ、コネクタの回転を規制することができるものとなっている。よって、外殻部材が接続される相手方レセプタクルの例えばシェルと、コネクタが接続される相手方レセプタクルの例えばアダプタとの位置精度が悪くても、さらに例えばコネクタが角型の場合のように回転を規制する必要がある場合であっても良好に相手方レセプタクルと接続することができる。
【図面の簡単な説明】
【００１６】
【図１】Ａはこの発明によるコネクタ内蔵プラグの一実施例を示す正面図、Ｂはその側面図、Ｃはその斜視図。
【図２】Ａは図１ＡのＤ−Ｄ線拡大断面図、Ｂは図１ＢのＥ−Ｅ線拡大断面図。
【図３】図１に示したコネクタ内蔵プラグの前方から見た分解斜視図。
【図４】図１に示したコネクタ内蔵プラグの後方から見た分解斜視図。
【図５】Ａは図２におけるハウジングの正面図、Ｂはその側面図、Ｃはその背面図、Ｄ，Ｅはその斜視図。
【図６】ハウジングへのホルダの取り付けを説明するための図。
【図７】Ａは外殻部材に対してホルダが移動可能なことを説明するための図、Ｂはホルダに対してハウジングが移動可能なことを説明するための図。
【図８】レセプタクルと図１に示したコネクタ内蔵プラグの嵌合前の状態を示す斜視図。
【図９】レセプタクルと図１に示したコネクタ内蔵プラグの嵌合後の状態を示す斜視図。
【図１０】図９に示したレセプタクルとコネクタ内蔵プラグの嵌合状態の拡大断面図。
【図１１】コネクタ内蔵プラグの従来例を示す断面図。
【発明を実施するための形態】
【００１７】
この発明の実施形態を図面を参照して実施例により説明する。
【００１８】
図１はこの発明によるコネクタ内蔵プラグの一実施例の外観を示したものであり、図２はその断面構造を示したものである。また、図３及び４は各部に分解して示したものである。
【００１９】
この例ではコネクタ内蔵プラグ１００は２つの光コネクタ２０とハウジング３０とホルダ４０と外殻部材５０とコイルバネ６０とカップリング７０とグランドナット８０とクランプ８５と第１の防水部材９０と第２の防水部材９５とによって構成されている。なお、図１〜４中、２００は光ケーブルを示し、２１０は光ケーブル２００から取り出された光ファイバを示す。
【００２０】
まず、最初にコネクタ内蔵プラグ１００の主要各部の構成について説明する。
【００２１】
光コネクタ２０はこの例ではＬＣコネクタとされ、図３及び４では各部に分解した状態として示している。コネクタハウジング２１は角筒状をなし、後端側の上面及び下面にはそれぞれ窓２１ａが形成されている。光ファイバ２１０の端末に取り付けられたフェルール２２はコネクタハウジング２１内に挿入されて保持される。フェルール用コイルバネ２３はフェルール２２をコネクタハウジング２１の前端側の開口から突出する方向に押す機能を果たす。
【００２２】
図５はハウジング３０の詳細を示したものであり、ハウジング３０は一対のコネクタ保持部３１と、それらコネクタ保持部３１の基端側（後端側）を連結する連結部３２と、連結部３２より後方にわずかに延長された角柱部３３と、角柱部３３の後端に設けられた鍔部３４と、鍔部３４の後方に突出された突出部３５とを備えている。
【００２３】
コネクタ保持部３１は断面コ字形状をなし、一対のコネクタ保持部３１はコ字の開口部が互いに対向するように配列されて延伸されている。コネクタ保持部３１の先端側（前端側）の内面は円筒面とされてフェルール用コイルバネ２３の収容部３１ａとされており、収容部３１ａの後端にはフェルール用コイルバネ２３が突き当たる突き当て面３１ｂが形成されている。各コネクタ保持部３１の前端側の上面及び下面にはそれぞれ突起３１ｃが突出形成されている。
【００２４】
連結部３２は一対のコネクタ保持部３１の外形が延長された外形を有し、角柱部３３は連結部３２に対し、幅狭とされている。鍔部３４は方形板状をなし、突出部３５は円柱形状とされている。これら突出部３５、鍔部３４、角柱部３３及び連結部３２にはそれらを貫通して角穴３６が形成されている。角穴３６は角柱部３３の部分の断面積が小とされ、この部分から前方側及び後方側に向かって徐々に断面積が拡大されている（図２Ｂ参照）。なお、連結部３２、角柱部３３、鍔部３４及び突出部３５には角穴３６の上方に角穴３６に至るスリット３７が形成されている。
【００２５】
ホルダ４０は方形枠の一箇所に切り欠き４１が形成された形状を有する板とされており、切り欠き４１のＹ方向（上下方向）の寸法は角柱部３３のＹ方向（上下方向）の寸法よりもわずかに狭い。
【００２６】
外殻部材５０はコネクタ内蔵プラグ１００の外殻を構成するもので、中空の本体部５１と本体部５１から前方に突出形成された角筒部５２と、角筒部５２の上面及び下面の前端から前方にそれぞれ突出形成された位置決め片５３，５４と、角筒部５２の左右に位置するように本体部５１から前方に突出形成された一対の接続片５５とを有する。一対の接続片５５の先端には互いに内向きに爪５５ａが突出形成されている。角筒部５２の外周には溝５２ａが形成されており、この溝５２ａにＯリングよりなる第２の防水部材９５が収容配置されている。なお、本体部５１の後端の外周面には図示を省略しているが、ねじが形成されている。
【００２７】
カップリング７０は角筒状をなす。
【００２８】
グランドナット８０は円筒状をなし、閉塞された後端面の中央には穴８０ａが形成されている。グランドナット８０の前端側の内周面には図示を省略しているが、外殻部材５０の後端のねじと結合されるねじが形成されている。
【００２９】
クランプ８５は円板部８５ａと円板部８５ａの後方に突出形成されたクランプ部８５ｂとよりなる。円板部８５ａの中央には穴８５ｃが形成されており、クランプ部８５ｂは穴８５ｃを囲む円筒が９０°ピッチで４分割された形状とされている。円板部８５ａの外周面の互いに１８０°をなす位置には外殻部材５０の本体部５１の後端に形成されている一対の切り欠き５１ａに挿入、位置決めされる凸部８５ｄが突出形成されている。
【００３０】
第１の防水部材９０は円板状をなし、ゴム製とされる。第１の防水部材９０の中央には穴９０ａが形成されており、外周面には複数の凸部９０ｂが環状に形成されている。
【００３１】
以下、各部の組み立てについて説明する。
【００３２】
まず、最初に光ケーブル２００をグランドナット８０の穴８０ａ、クランプ８５の穴８５ｃ、第１の防水部材９０の穴９０ａに順次通し、さらに外殻部材５０の中を通して外殻部材５０の前端から突出させる。そして、光ケーブル２００から取り出された２本の光ファイバ２１０をコイルバネ６０の中に通し、それぞれフェルール用コイルバネ２３の中を通した後、それら光ファイバ２１０の端末にフェルール２２をそれぞれ取り付ける。２本の光ファイバ２１０はスリット３７からハウジング３０内に入れてハウジング３０内に収容させておく。
【００３３】
次に、２つのフェルール２２をそれぞれコネクタハウジング２１の後方からコネクタハウジング２１内に挿入した後、ハウジング３０の一対のコネクタ保持部３１を２つのコネクタハウジング２１内にそれぞれ挿入する。コネクタ保持部３１に形成されている突起３１ｃはコネクタハウジング２１の窓２１ａにそれぞれ位置し、これにより２つの光コネクタ２０がハウジング３０に固定保持される。フェルール用コイルバネ２３の後端側はコネクタ保持部３１の収容部３１ａに収容され、後端は突き当て面３１ｂに突き当たった状態となる。
【００３４】
次に、ハウジング３０にホルダ４０を取り付ける。図６はこの様子を示したものであり、ハウジング３０の角柱部３３がホルダ４０の切り欠き４１を一時的に押し広げてホルダ４０の枠内に嵌め込まれ、これにより鍔部３４の前の角柱部３３にホルダ４０が取り付けられる。ホルダ４０の枠内の大きさはホルダ４０に対する角柱部３３の一方向のみの移動を許容する大きさとされており、この例ではＹ方向（上下方向）のみの移動を許容する大きさとされ、Ｘ方向（左右方向）は角柱部３３の両側面がホルダ４０の枠に当たることで移動が規制される。
【００３５】
次に、ハウジング３０の突出部３５をコイルバネ６０の一端に嵌め込み、ハウジング３０に取り付けられているホルダ４０をコイルバネ６０と共に外殻部材５０の前方から外殻部材５０内へ押し込む。外殻部材５０の位置決め片５３，５４の基端の互いに対向する内面にはそれぞれ突起５３ａ，５４ａ（図２Ａ参照）が形成されており、これら突起５３ａ，５４ａを乗り越えるまでホルダ４０を押し込む。コイルバネ６０の他端は外殻部材５０内の突き当て面に突き当たり、コイルバネ６０は圧縮された状態となる。ホルダ４０は図２Ａに示したようにハウジング３０の鍔部３４を介してコイルバネ６０により押されて突起５３ａ，５４ａに突き当てられた状態となり、突起５３ａ，５４ａによって抜け止めされる。
【００３６】
以上により、外殻部材５０にコイルバネ６０、ホルダ４０、ハウジング３０及び２つの光コネクタ２０が取り付けられる。カップリング７０は外殻部材５０の本体部５１の前端側及び一対の接続片５５を囲むように外殻部材５０に取り付けられる。
【００３７】
一方、外殻部材５０の本体部５１の後端側には第１の防水部材９０、クランプ８５が順次挿入され、最後にグランドナット８０がねじ込まれて取り付けられる。この際、クランプ８５は一対の凸部８５ｄが本体部５１の切り欠き５１ａに挿入されて回り止めされる。
【００３８】
グランドナット８０をねじ込むことにより、クランプ８５のクランプ部８５ｂによって光ケーブル２００は挟み込まれて固定され、また第１の防水部材９０は圧縮されて外殻部材５０及び光ケーブル２００に密着する。これにより外殻部材５０の後端側は密閉される。
【００３９】
以上で組み立てが完了し、図１及び２に示したコネクタ内蔵プラグ１００が完成する。
【００４０】
上記のような構成とされたコネクタ内蔵プラグ１００では、光コネクタ２０の挿入方向（接続方向）後端側に位置して光コネクタ２０を保持し、コイルバネ６０によって光コネクタ２０の挿入方向に押されているハウジング３０は、前述したようにホルダ４０に対し、光コネクタ２０の挿入方向と直交するＹ方向のみに移動可能とされている。一方、ホルダ４０は外殻部材５０に対し、光コネクタ２０の挿入方向と直交し、かつＹ方向と交差するＸ方向（一交差方向）のみに移動可能とされ、これにより光コネクタ２０のフローティング構造が実現されている。図７Ａ，Ｂはコネクタ内蔵プラグ１００が具備するこのようなＸ方向のみのフローティング構造とＹ方向のみのフローティング構造をそれぞれ示したものである。
【００４１】
図７Ａ中、Ｘ１はホルダ４０の幅を示し、Ｘ２はホルダ４０が位置する外殻部材５０の角筒部５２の内周の幅を示す。Ｘ１とＸ２の差分だけ、ホルダ４０はＸ方向の移動が許容されている。角筒部５２の内周は方形形状であり、Ｙ方向（ホルダ４０の高さ方向）は角筒部５２によってホルダ４０が挟み込まれて移動が規制され、これによりホルダ４０の回転も規制されている。
【００４２】
図７Ｂ中、Ｙ１はハウジング３０の角柱部３３の高さ（厚さ）を示し、Ｙ２はホルダ４０の枠内の上下方向の大きさを示す。Ｙ１とＹ２の差分だけ、ハウジング３０はＹ方向の移動が許容されており、Ｘ方向は前述したように移動が規制され、これによりハウジング３０の回転も規制されている。
【００４３】
以上説明したように、この例によれば、コネクタ内蔵プラグ１００は光コネクタ２０のフローティング構造を採用しつつ、光コネクタ２０の回転を規制することができるものとなっている。
【００４４】
また、この例によれば、光コネクタ２０を保持したハウジング３０を押すバネをコイルバネ６０とし、コイルバネ６０の一端をハウジング３０に設けた突出部３５に嵌め合わせているため、外殻部材５０に対する光コネクタ２０の初期位置を正規の位置に位置させることができ、よってフローティング構造を採用しつつも光コネクタ２０の初期位置が正規の位置（原点位置）から大きくずれるといったことは発生しないものとなっている。これにより、フローティングの可動範囲を大きくすることもできる。
【００４５】
図８は上述したコネクタ内蔵プラグ１００と、コネクタ内蔵プラグ１００が接続されるレセプタクル３００を示したものであり、図９はそれらコネクタ内蔵プラグ１００とレセプタクル３００が嵌合接続された状態を示したものである。また、図１０は図９に示した嵌合状態の断面構造を示したものである。
【００４６】
レセプタクル３００はこの例ではシェル３１０とナット３２０と光モジュール３３０とによって構成されている。シェル３１０の一端側にはフランジ３１１が形成されており、ナット３２０とフランジ３１１とで筐体４００を挟むことによってシェル３１０は例えば伝送装置等の筐体４００に取り付けられる。
【００４７】
光モジュール３３０はその一端にアダプタ３３１を備えており、基板５００に実装されている。アダプタ３３１はシェル３１０内に挿入配置され、基板５００は筐体４００とは別の固定部材（図示せず）に固定される。このように、シェル３１０と光モジュール３３０は一般に異なる部材にそれぞれ固定されるため、シェル３１０に対する光モジュール３３０の位置精度は良好とは言えず、位置ずれが生じやすい。コネクタ内蔵プラグ１００はこのような位置ずれに対応でき、レセプタクル３００に良好に接続できるものとなっている。
【００４８】
コネクタ内蔵プラグ１００の光コネクタ２０は図１０に示したようにアダプタ３３１に挿入されて光モジュール３３０と接続される。一方、外殻部材５０は詳細図示は省略しているが、一対の位置決め片５３，５４がシェル３１０内に挿入されて位置決めされると共に、一対の接続片５５の先端の爪５５ａがシェル３１０に形成されている凹部３１２に位置して抜け止めされ、これにより外殻部材５０がシェル３１０に接続固定される。外殻部材５０の角筒部５２はシェル３１０内に嵌め込まれる。
【００４９】
コネクタ内蔵プラグ１００のレセプタクル３００からの取り外しはカップリング７０を後退させることで行うことができる。カップリング７０の前端側の内面には図１０に示したように爪７１が形成されており、カップリング７０を後退させることにより、爪７１が一対の接続片５５の先端を、接続片５５の爪５５ａがシェル３１０の凹部３１２から外れるように持ち上げる（開かせる）ため、固定が解除され、コネクタ内蔵プラグ１００はレセプタクル３００から離脱する。
【００５０】
なお、コネクタ内蔵プラグ１００の外殻部材５０の後端は前述したように第１の防水部材９０によって密閉されており、またレセプタクル３００との嵌合接続状態では外殻部材５０の角筒部５２の回りに配置されているＯリングよりなる第２の防水部材９５がシェル３１０の内周面と角筒部５２とによって挟み込まれて、これらの間の空間を密閉できるものとなっている。よって、このコネクタ内蔵プラグ１００は良好な防水性能を備えている。一方、レセプタクル３００側においては、シェル３１０のフランジ３１１と筐体４００との間に図１０に示したようにＯリングよりなる防水部材３４０が挟み込まれており、これにより良好な防水構造が実現されている。
【００５１】
以上説明したコネクタ内蔵プラグ１００では、ハウジング３０はコイルバネ６０によって押されるものとなっているが、ハウジング３０を光コネクタ２０の挿入方向に押すバネはコイルバネ６０に限らず、他のバネを用いることもできる。
【００５２】
また、コネクタ内蔵プラグ１００は光コネクタ２０を内蔵するものとなっているが、内蔵するコネクタは例えば電気コネクタであってもよい。
【００５３】
この発明によれば、内蔵するコネクタのフローティング構造を実現しつつ、コネクタの回転を規制することができるものとなっている。よって、例えば、
１）挿入方向と直交する外形形状が多角形の角型コネクタの場合
２）丸型コネクタで多心の場合
３）複数のコネクタを有する場合
等、挿入部のコネクタの形状が方向によって異なる場合に極めて有用で好適なコネクタ内蔵プラグを提供することができる。
【符号の説明】
【００５４】
１１    本体部                              １２    光コネクタ
１２ａ    ラッチ部                          １３    結合部材
２０    光コネクタ                          ２１    コネクタハウジング
２１ａ    窓                                ２２    フェルール
２３    フェルール用コイルバネ              ３０    ハウジング
３１    コネクタ保持部                      ３１ａ    収容部
３１ｂ    突き当て面                        ３１ｃ    突起
３２    連結部                              ３３    角柱部
３４    鍔部                                ３５    突出部
３６    角穴                                ３７    スリット
４０    ホルダ                              ４１    切り欠き
５０    外殻部材                            ５１    本体部
５１ａ    切り欠き                          ５２    角筒部
５２ａ    溝                                ５３，５４    位置決め片
５３ａ，５４ａ    突起                      ５５    接続片
５５ａ    爪                                ６０    コイルバネ
７０    カップリング                        ７１    爪
８０    グランドナット                      ８０ａ    穴
８５    クランプ                            ８５ａ    円板部
８５ｂ    クランプ部                        ８５ｃ    穴
８５ｄ    凸部                              ９０    第１の防水部材
９０ａ    穴                                ９０ｂ    凸部
９５    第２の防水部材                      １００    コネクタ内蔵プラグ
２００    光ケーブル                        ２１０    光ファイバ
３００    レセプタクル                      ３１０    シェル
３１１    フランジ                          ３１２    凹部
３２０    ナット                            ３３０    光モジュール
３３１    アダプタ                          ３４０    防水部材
４００    筐体                              ５００    基板
【要約】      （修正有）【課題】コネクタのフローティング構造を採用しつつ、コネクタの回転を規制するコネクタ内蔵プラグを提供する。【解決手段】レセプタクル内のアダプタに挿入接続されるコネクタを内蔵し、レセプタクルと接続されるコネクタ内蔵プラグは、コネクタ（光コネクタ２０）の挿入方向後端側に位置してコネクタを保持するハウジング３０と、ハウジング３０を挿入方向に押すバネ（コイルバネ６０）と、ハウジング３０に形成された鍔部３４の前に位置してハウジング３０に取り付けられたホルダ４０と、外殻部材５０とを備える。ホルダ４０は鍔部３４を介してバネにより押されて外殻部材５０の内面に形成された突起５３ａ，５４ａに突き当てられて抜け止めされ、ハウジング３０はホルダ４０に対し、挿入方向と直交する一方向のみに移動可能とされ、ホルダ４０は外殻部材５０に対し、前記挿入方向と直交し、かつ一方向と交差する一交差方向のみに移動可能とされる。【選択図】図７【図１】
0005801462.tif 000002
【図２】
0005801462.tif 000003
【図３】
0005801462.tif 000004
【図４】
0005801462.tif 000005
【図５】
0005801462.tif 000006
【図６】
0005801462.tif 000007
【図７】
0005801462.tif 000008
【図８】
0005801462.tif 000009
【図９】
0005801462.tif 000010
【図１０】
0005801462.tif 000011
【図１１】
0005801462.tif 000012